(57)【要約】  無線端末装置（１１３）は、当該無線端末装置（１１３）が属するのと同じ第１のグループ（グループ１）に属する第１の無線端末（１１０）が当該第１のグループ（グループ１）とは異なる第２のグループ（グループ２）に当該第１のグループ（グループ１）と当該第２のグループ（グループ２）の間のＤ２Ｄ通信の暗示的又は明示的な許可を与えていることを含む所定の条件が成立する場合に、当該第２のグループ（グループ２）に属する少なくとも１つの無線端末（１２１〜１２４）のいずれかＤ２Ｄ通信を行うよう構成されている。これにより、例えば、デバイス・ツー・デバイス（Ｄ２Ｄ）通信グループ間で行われるＤ２Ｄ通信のセキュリティの向上に寄与できる。
2016157266.tif 000002
【特許請求の範囲】
【請求項１】
無線端末装置であって、
少なくとも１つの無線トランシーバと、
前記少なくとも１つの無線トランシーバに結合された少なくとも１つのプロセッサと、
を備え、
前記少なくとも１つのプロセッサは、前記少なくとも１つの無線トランシーバを用いてデバイス・ツー・デバイス（Ｄ２Ｄ）通信を行うことができ、
前記少なくとも１つのプロセッサは、前記無線端末装置が属するのと同じ第１のグループに属する第１の無線端末が前記第１のグループとは異なる第２のグループに前記第１のグループと前記第２のグループの間のＤ２Ｄ通信の暗示的又は明示的な許可を与えていることを含む所定の条件が成立する場合に、前記第２のグループに属する少なくとも１つの無線端末のいずれかとＤ２Ｄ通信を行うよう構成されている、
無線端末装置。
【請求項２】
前記暗示的又は明示的な許可は、
前記第１の無線端末が前記第２のグループに属するいずれかの無線端末にＤ２Ｄ通信を要求すること、
前記第１の無線端末が前記第２のグループに属するいずれかの無線端末とＤ２Ｄ通信を行ったこと、
前記第１のグループと前記第２のグループの間のＤ２Ｄ通信に必要な通信設定を前記第１の無線端末が前記第２のグループに属するいずれかの無線端末に通知すること、
前記第１の無線端末が前記第１のグループ宛てのデータ送信を前記第２のグループに属するいずれかの無線端末に依頼すること、及び
前記第１の無線端末が前記第２のグループに属するいずれかの無線端末に明示的な許可情報を送信すること、
のうち少なくとも１つにより与えられる、
請求項１に記載の無線端末装置。
【請求項３】
前記通信設定は、前記第１のグループに関する識別子若しくは無線リソース情報又はこれら両方を含む、
請求項２に記載の無線端末装置。
【請求項４】
前記所定の条件は、さらに、前記無線端末装置が直接的にも又は前記第１のグループに属する他の無線端末を介しても前記第１の無線端末と通信できないことを含む、
請求項１〜３のいずれか１項に記載の無線端末装置。
【請求項５】
前記少なくとも１つのプロセッサは、前記無線端末装置と前記第２のグループの間のＤ２Ｄ通信に関する通信設定をネットワークから受信するよう構成されている、
請求項１〜４のいずれか１項に記載の無線端末装置。
【請求項６】
前記少なくとも１つのプロセッサは、前記無線端末装置と前記第２のグループの間のＤ２Ｄ通信に関する通信設定を前記第２のグループに属するいずれかの無線端末から受信するよう構成されている、
請求項１〜４のいずれか１項に記載の無線端末装置。
【請求項７】
前記少なくとも１つのプロセッサは、前記第１の無線端末の捜索要求を報知するよう構成され、前記無線端末装置と前記第２のグループの間のＤ２Ｄ通信に関する通信設定を前記第２のグループに属するいずれかの無線端末から前記捜索要求に対する応答として受信するよう構成されている、
請求項１〜４のいずれか１項に記載の無線端末装置。
【請求項８】
前記少なくとも１つのプロセッサは、前記無線端末装置が直接的にも又は前記第１のグループに属する他の無線端末を介しても前記第１の無線端末と通信できない場合に、前記無線端末装置と前記第２のグループの間のＤ２Ｄ通信に関する通信設定を報知するよう構成されている、
請求項１〜４のいずれか１項に記載の無線端末装置。
【請求項９】
前記少なくとも１つのプロセッサは、前記第２のグループに属するいずれかの無線端末からの要求に応答して、前記無線端末装置と前記第２のグループの間のＤ２Ｄ通信に関する通信設定を送信するよう構成されている、
請求項１〜４のいずれか１項に記載の無線端末装置。
【請求項１０】
前記少なくとも１つのプロセッサは、前記第１のグループに個別に設定された個別無線リソースを用いて前記第１のグループ内でのＤ２Ｄ通信を行い、前記第１及び第２のグループを含む複数のグループに共通に設定された共通無線リソースを用いてグループ間でのＤ２Ｄ通信を行うよう構成されている、
請求項１〜９のいずれか１項に記載の無線端末装置。
【請求項１１】
前記少なくとも１つのプロセッサは、前記無線端末装置と前記第２のグループの間のＤ２Ｄ通信における通信品質又は通信内容を前記第１のグループ内でのＤ２Ｄ通信に比べて制限するよう構成されている、
請求項１〜１０のいずれか１項に記載の無線端末装置。
【請求項１２】
前記Ｄ２Ｄ通信は、ダイレクト通信およびダイレクト・ディスカバリのうち少なくとも一方を含む、
請求項１〜１１のいずれか１項に記載の無線端末装置。
【請求項１３】
無線端末装置であって、
少なくとも１つの無線トランシーバと、
前記少なくとも１つの無線トランシーバに結合された少なくとも１つのプロセッサと、
を備え、
前記少なくとも１つのプロセッサは、前記少なくとも１つの無線トランシーバを用いてデバイス・ツー・デバイス（Ｄ２Ｄ）通信を行うことができ、
前記少なくとも１つのプロセッサは、前記無線端末装置が属する第２のグループとは異なる第１のグループに属する第１の無線端末が前記第２のグループに前記第１のグループと前記第２のグループの間のＤ２Ｄ通信の暗示的又は明示的な許可を与えていることを含む所定の条件が成立する場合に、前記第１のグループに属し且つ前記第１の無線端末とは異なる第２の無線端末とＤ２Ｄ通信を行うよう構成されている、
無線端末装置。
【請求項１４】
前記暗示的又は明示的な許可は、
前記第１の無線端末が前記第２のグループに属するいずれかの無線端末にＤ２Ｄ通信を要求すること、
前記第１の無線端末が前記第２のグループに属するいずれかの無線端末とＤ２Ｄ通信を行ったこと、
前記第１のグループと前記第２のグループの間のＤ２Ｄ通信に必要な通信設定を前記第１の無線端末が前記第２のグループに属するいずれかの無線端末に通知すること、
前記第１の無線端末が前記第１のグループ宛てのデータ送信を前記第２のグループに属するいずれかの無線端末に依頼すること、及び
前記第１の無線端末が前記第２のグループに属するいずれかの無線端末に明示的な許可情報を送信すること、
のうち少なくとも１つにより与えられる、
請求項１３に記載の無線端末装置。
【請求項１５】
前記通信設定は、前記第１のグループに関する識別子若しくは無線リソース情報又はこれら両方を含む、
請求項１４に記載の無線端末装置。
【請求項１６】
前記少なくとも１つのプロセッサは、前記無線端末装置と前記第２のグループの間のＤ２Ｄ通信に関する通信設定をネットワークから受信するよう構成されている、
請求項１３〜１５のいずれか１項に記載の無線端末装置。
【請求項１７】
前記少なくとも１つのプロセッサは、前記無線端末装置と前記第２の無線端末の間のＤ２Ｄ通信に関する通信設定を前記第２の無線端末に送信するよう構成されている、
請求項１３〜１５のいずれか１項に記載の無線端末装置。
【請求項１８】
前記少なくとも１つのプロセッサは、前記第１の無線端末の捜索要求を前記第２の無線端末から受信することに応答して、前記無線端末装置と前記第２の無線端末の間のＤ２Ｄ通信に関する通信設定を前記第２の無線端末に送信するよう構成されている、
請求項１３〜１５のいずれか１項に記載の無線端末装置。
【請求項１９】
前記少なくとも１つのプロセッサは、前記無線端末装置と前記第２の無線端末の間のＤ２Ｄ通信に関する通信設定を前記第２の無線端末から受信するよう構成されている、
請求項１３〜１５のいずれか１項に記載の無線端末装置。
【請求項２０】
前記少なくとも１つのプロセッサは、前記第２のグループに個別に設定された個別無線リソースを用いて前記第２のグループ内でのＤ２Ｄ通信を行い、前記第１及び第２のグループを含む複数のグループに共通に設定された共通無線リソースを用いてグループ間でのＤ２Ｄ通信を行うよう構成されている、
請求項１３〜１９のいずれか１項に記載の無線端末装置。
【請求項２１】
前記少なくとも１つのプロセッサは、前記無線端末装置と前記第１のグループの間のＤ２Ｄ通信における通信品質又は通信内容を前記第２のグループ内でのＤ２Ｄ通信に比べて制限するよう構成されている、
請求項１３〜２０のいずれか１項に記載の無線端末装置。
【請求項２２】
無線端末装置であって、
少なくとも１つの無線トランシーバと、
前記少なくとも１つの無線トランシーバに結合された少なくとも１つのプロセッサと、
を備え、
前記少なくとも１つのプロセッサは、前記少なくとも１つの無線トランシーバを用いてデバイス・ツー・デバイス（Ｄ２Ｄ）通信を行うことができ、
前記少なくとも１つのプロセッサは、前記無線端末装置が属するのと同じ第１のグループに属するいずれの無線端末とも通信できない場合に、前記第１のグループとは異なる第２のグループに属する第１の無線端末とＤ２Ｄ通信を行うとともに、前記第２のグループに暗示的又は明示的な許可を与えるよう構成され、
前記暗示的又は明示的な許可は、前記無線端末装置とは異なり且つ前記第１のグループに属するいずれかの無線端末とのＤ２Ｄ通信を前記第２のグループに許可する、
無線端末装置。
【請求項２３】
前記暗示的又は明示的な許可は、
前記無線端末装置が前記第１の無線端末にＤ２Ｄ通信を要求すること、
前記無線端末装置が前記第１の無線端末とＤ２Ｄ通信を行ったこと、
前記第１のグループと前記第２のグループの間のＤ２Ｄ通信に必要な通信設定を前記無線端末装置が前記第１の無線端末に通知すること、
前記無線端末装置が前記第１のグループ宛てのデータ送信を前記第１の無線端末に依頼すること、及び
前記無線端末装置が前記第１の無線端末に明示的な許可情報を送信すること、
のうち少なくとも１つにより与えられる、
請求項２２に記載の無線端末装置。
【請求項２４】
前記通信設定は、前記第１のグループに関する識別子若しくは無線リソース情報又はこれら両方を含む、
請求項２３に記載の無線端末装置。
【請求項２５】
前記少なくとも１つのプロセッサは、前記無線端末装置と前記第２のグループの間のＤ２Ｄ通信に関する通信設定をネットワークから受信するよう構成されている、
請求項２２〜２４のいずれか１項に記載の無線端末装置。
【請求項２６】
前記第２のグループは、前記無線端末装置と前記第２のグループに属するいずれかの無線端末の間の距離、前記無線端末装置によりＤ２Ｄ通信において使用されるアプリケーション種別、及び前記無線端末装置又は第１のグループの属性のうち少なくとも１つに基づいて、複数のグループの中から前記ネットワークによって選択される、
請求項２５に記載の無線端末装置。
【請求項２７】
前記少なくとも１つのプロセッサは、前記無線端末装置と前記第２のグループの間のＤ２Ｄ通信に関する通信設定を前記第１の無線端末から受信するよう構成されている、
請求項２２〜２４のいずれか１項に記載の無線端末装置。
【請求項２８】
前記少なくとも１つのプロセッサは、前記無線端末装置に事前設定された通信設定に従って、前記無線端末装置と前記第１の無線端末の間のＤ２Ｄ通信を行うよう構成されている、
請求項２２〜２４のいずれか１項に記載の無線端末装置。
【請求項２９】
前記少なくとも１つのプロセッサは、検出信号を送信したが前記検出信号に対する応答を受信できないことに応じて、前記無線端末装置が属するのと同じ第１のグループに属するいずれの無線端末とも通信できないと判定するよう構成されている、
請求項２２〜２８のいずれか１項に記載の無線端末装置。
【請求項３０】
前記少なくとも１つのプロセッサは、前記第１のグループに個別に設定された個別無線リソースを用いて前記第２のグループ内でのＤ２Ｄ通信を行い、前記第１及び第２のグループを含む複数のグループに共通に設定された共通無線リソースを用いてグループ間でのＤ２Ｄ通信を行うよう構成されている、
請求項２２〜２９のいずれか１項に記載の無線端末装置。
【請求項３１】
少なくとも１つの無線トランシーバを用いて無線端末とのデバイス・ツー・デバイス（Ｄ２Ｄ）通信を行うことができるよう構成された無線端末装置によって行われる方法であって、
前記無線端末装置が属するのと同じ第１のグループに属する第１の無線端末が前記第１のグループとは異なる第２のグループに前記第１のグループと前記第２のグループの間のＤ２Ｄ通信の暗示的又は明示的な許可を与えていることを含む所定の条件が成立する場合に、前記第２のグループに属する少なくとも１つの無線端末のいずれかとＤ２Ｄ通信を行うことを備える、
方法。
【請求項３２】
前記暗示的又は明示的な許可は、
前記第１の無線端末が前記第２のグループに属するいずれかの無線端末にＤ２Ｄ通信を要求すること、
前記第１の無線端末が前記第２のグループに属するいずれかの無線端末とＤ２Ｄ通信を行ったこと、
前記第１のグループと前記第２のグループの間のＤ２Ｄ通信に必要な通信設定を前記第１の無線端末が前記第２のグループに属するいずれかの無線端末に通知すること、
前記第１の無線端末が前記第１のグループ宛てのデータ送信を前記第２のグループに属するいずれかの無線端末に依頼すること、及び
前記第１の無線端末が前記第２のグループに属するいずれかの無線端末に明示的な許可情報を送信すること、
のうち少なくとも１つにより与えられる、
請求項３１に記載の方法。
【請求項３３】
前記所定の条件は、さらに、前記無線端末装置が直接的にも又は前記第１のグループに属する他の無線端末を介しても前記第１の無線端末と通信できないことを含む、
請求項３１又は３２に記載の方法。
【請求項３４】
少なくとも１つの無線トランシーバを用いて無線端末とのＤ２Ｄ通信を行うことができるよう構成された無線端末装置によって行われる方法であって、
前記無線端末装置が属する第２のグループとは異なる第１のグループに属する第１の無線端末が前記第２のグループに前記第１のグループと前記第２のグループの間のＤ２Ｄ通信の暗示的又は明示的な許可を与えていることを含む所定の条件が成立する場合に、前記第１のグループに属し且つ前記第１の無線端末とは異なる第２の無線端末とＤ２Ｄ通信を行うことを備える、
方法。
【請求項３５】
前記暗示的又は明示的な許可は、
前記第１の無線端末が前記第２のグループに属するいずれかの無線端末にＤ２Ｄ通信を要求すること、
前記第１の無線端末が前記第２のグループに属するいずれかの無線端末とＤ２Ｄ通信を行ったこと、
前記第１のグループと前記第２のグループの間のＤ２Ｄ通信に必要な通信設定を前記第１の無線端末が前記第２のグループに属するいずれかの無線端末に通知すること、
前記第１の無線端末が前記第１のグループ宛てのデータ送信を前記第２のグループに属するいずれかの無線端末に依頼すること、及び
前記第１の無線端末が前記第２のグループに属するいずれかの無線端末に明示的な許可情報を送信すること、
のうち少なくとも１つにより与えられる、
請求項３４に記載の方法。
【請求項３６】
少なくとも１つの無線トランシーバを用いて無線端末とのデバイス・ツー・デバイス（Ｄ２Ｄ）通信を行うことができるよう構成された無線端末装置によって行われる方法であって、
前記無線端末装置が属するのと同じ第１のグループに属するいずれの無線端末とも通信できない場合に、前記第１のグループとは異なる第２のグループに属する第１の無線端末とＤ２Ｄ通信を行うとともに、前記第２のグループに暗示的又は明示的な許可を与えることを備え、
前記暗示的又は明示的な許可は、前記無線端末装置とは異なり且つ前記第１のグループに属するいずれかの無線端末とのＤ２Ｄ通信を前記第２のグループに許可する、
方法。
【請求項３７】
前記暗示的又は明示的な許可は、
前記無線端末装置が前記第１の無線端末にＤ２Ｄ通信を要求すること、
前記無線端末装置が前記第１の無線端末とＤ２Ｄ通信を行ったこと、
前記第１のグループと前記第２のグループの間のＤ２Ｄ通信に必要な通信設定を前記無線端末装置が前記第１の無線端末に通知すること、
前記無線端末装置が前記第１のグループ宛てのデータ送信を前記第１の無線端末に依頼すること、及び
前記無線端末装置が前記第１の無線端末に明示的な許可情報を送信すること、
のうち少なくとも１つにより与えられる、
請求項３６に記載の方法。
【請求項３８】
少なくとも１つの無線トランシーバを用いて無線端末とのＤ２Ｄ通信を行うことができるよう構成された無線端末装置によって行われる方法をコンピュータに行わせるためのプログラムを格納した非一時的なコンピュータ可読媒体であって、
前記方法は、前記無線端末装置が属するのと同じ第１のグループに属する第１の無線端末が前記第１のグループとは異なる第２のグループに前記第１のグループと前記第２のグループの間のＤ２Ｄ通信の暗示的又は明示的な許可を与えていることを含む所定の条件が成立する場合に、前記第２のグループに属する少なくとも１つの無線端末のいずれかとＤ２Ｄ通信を行うことを備える、
非一時的なコンピュータ可読媒体。
【請求項３９】
少なくとも１つの無線トランシーバを用いて無線端末とのデバイス・ツー・デバイス（Ｄ２Ｄ）通信を行うことができるよう構成された無線端末装置によって行われる方法をコンピュータに行わせるためのプログラムを格納した非一時的なコンピュータ可読媒体であって、
前記方法は、前記無線端末装置が属する第２のグループとは異なる第１のグループに属する第１の無線端末が前記第２のグループに前記第１のグループと前記第２のグループの間のＤ２Ｄ通信の暗示的又は明示的な許可を与えていることを含む所定の条件が成立する場合に、前記第１のグループに属し且つ前記第１の無線端末とは異なる第２の無線端末とＤ２Ｄ通信を行うことを備える、
非一時的なコンピュータ可読媒体。
【請求項４０】
少なくとも１つの無線トランシーバを用いて無線端末とのデバイス・ツー・デバイス（Ｄ２Ｄ）通信を行うことができるよう構成された無線端末装置によって行われる方法をコンピュータに行わせるためのプログラムを格納した非一時的なコンピュータ可読媒体であって、
前記方法は、前記無線端末装置が属するのと同じ第１のグループに属するいずれの無線端末とも通信できない場合に、前記第１のグループとは異なる第２のグループに属する第１の無線端末とＤ２Ｄ通信を行うとともに、前記第２のグループに暗示的又は明示的な許可を与えることを備え、
前記暗示的又は明示的な許可は、前記無線端末装置とは異なり且つ前記第１のグループに属するいずれかの無線端末とのＤ２Ｄ通信を前記第２のグループに許可する、
非一時的なコンピュータ可読媒体。
【発明の詳細な説明】
【技術分野】
【０００１】
本開示は、端末間直接通信（device-to-device（D2D）通信）に関し、特に、D2D通信グループ間のD2D通信に関する。
【背景技術】
【０００２】
いくつかの実装において、無線端末は、他の無線端末と直接的に通信できるよう構成される。このような通信は、device-to-device（D2D）通信と呼ばれる。D2D通信は、ダイレクト通信およびダイレクト・ディスカバリの少なくとも一方を含む。いくつかの実装において、D2D通信をサポートする複数の無線端末は、自律的に又はネットワークの指示に従ってD2D通信グループを形成し、当該D2D通信グループ内の他の無線端末と通信を行う。【０００３】
3GPP Release 12に規定されたProximity-based services（ProSe）ダイレクト・ディスカバリ及びProSeダイレクト通信は、D2D通信の一例である（例えば、非特許文献１を参照）。ProSeダイレクト・ディスカバリは、ProSeを実行可能な無線端末（ProSe-enabled UE）が他のProSe-enabled UEをこれら２つのUEが有する無線通信技術（例えば、Evolved Universal Terrestrial Radio Access (E-UTRA) technology）の能力だけを用いて発見する手順により行われる。ProSeダイレクト・ディスカバリは、３つ以上のProSe-enabled UEsにより行われてもよい。【０００４】
ProSeダイレクト通信は、ProSeディスカバリ手順の後に、ダイレクト通信レンジ内に存在する２以上のProSe-enabled UEsの間の通信パスの確立を可能にする。言い換えると、ProSeダイレクト通信は、ProSe-enabled UEが、基地局（eNodeB）を含む公衆地上移動通信ネットワーク（Public Land Mobile Network (PLMN)）を経由せずに、他のProSe-enabled UEと直接的に通信することを可能にする。ProSeダイレクト通信は、基地局（eNodeB）にアクセスする場合と同様の無線通信技術（E-UTRA technology）を用いて行われてもよいし、wireless local area network (WLAN)の無線技術（つまり、IEEE 802.11 radio technology）を用いて行われてもよい。【０００５】
3GPP Release 12では、ProSe functionが公衆地上移動通信ネットワーク（PLMN）を介してProSe-enabled UEと通信し、ProSeダイレクト・ディスカバリ及びProSeダイレクト通信を支援（assist）する。ProSe functionは、ProSeのために必要なPLMNに関連した動作に用いられる論理的な機能（logical function）である。ProSe functionによって提供される機能（functionality）は、例えば、（ａ）third-party applications（ProSe Application Server）との通信、（ｂ）ProSeダイレクト・ディスカバリ及びProSeダイレクト通信のためのUEの認証、（ｃ）ProSeダイレクト・ディスカバリ及びProSeダイレクト通信のための設定情報（例えば、ProSe Application ID、ProSe UE ID、ProSe Layer-2 Group IDなど）のUEへの送信、並びに（ｄ）ネットワークレベル・ディスカバリ（i.e., EPC-level ProSe discovery）の提供、を含む。ProSe functionは、１又は複数のネットワークノード又はエンティティに実装されてもよい。
【先行技術文献】
【非特許文献】
【０００６】
【非特許文献１】3GPP TS 23.303 V12.3.0 (2014-12), “3rd Generation Partnership Project; Technical Specification Group Services and System Aspects; Proximity-based services (ProSe); Stage 2 (Release 12)”, 2014年12月
【発明の概要】
【発明が解決しようとする課題】
【０００７】
上述したように、いくつかの実装において、D2D通信は、D2D通信グループ内の複数の無線端末の間で行われる。例えば、ProSeダイレクト通信の場合、あるD2D通信グループは、ProSe Layer-2 Group IDによって他のD2D通信グループと区別される。ProSe Layer-2 Group IDは、one-to-many ProSeダイレクト通信におけるグループを識別するためのリンクレイヤ識別子である。ProSe Layer-2 Group IDは、one-to-many ProSeダイレクト通信のためにUEが当該グループに送信する全てのパケットの宛て先（destination）Layer-2 IDとして使用される。ProSe Layer-2 Group IDは、UEに事前設定（pre-configured）されてもよいし、又は、インカバレッジであればProSe functionとUEの間のシグナリングによってUEに設定されてもよい。【０００８】
無線端末は、一般的に移動性を有するから、無線端末間のD2D通信は切れやすい。さらに、同一D2D通信グループに属する複数の無線端末がいつもD2D通信可能な近接レンジ内に存在するとは限らず、無線端末は自身と同じD2D通信グループに属する他の無線端末をいつも検出できるとは限らない。したがって、D2D通信の安定性を高めるために、例えば、無線端末は、自身のD2D通信グループ内の無線端末との通信の切断を検出し且つ当該D2D通信グループ内のいずれの無線端末も検出できない場合に、他のD2D通信グループに属する無線端末とD2D通信を行い、当該他のD2D通信グループを介して自身のD2D通信グループ内の無線端末と間接的に通信できることが好ましいかもしれない。【０００９】
しかしながら、D2D通信グループ間のD2D通信を常に許可することは、セキュリティの低下を招くかもしれない。本明細書に開示される実施形態が達成しようとする目的の１つは、D2D通信グループ間で行われるD2D通信のセキュリティの向上に寄与する装置、方法、及びプログラムを提供することである。
【課題を解決するための手段】
【００１０】
第１の態様では、無線端末装置は、少なくとも１つの無線トランシーバ、及び前記少なくとも１つの無線トランシーバに結合された少なくとも１つのプロセッサを含む。前記少なくとも１つのプロセッサは、前記少なくとも１つの無線トランシーバを用いてデバイス・ツー・デバイス（Ｄ２Ｄ）通信を行うことができる。前記少なくとも１つのプロセッサは、前記無線端末装置が属するのと同じ第１のグループに属する第１の無線端末が前記第１のグループとは異なる第２のグループに前記第１のグループと前記第２のグループの間のＤ２Ｄ通信の暗示的又は明示的な許可を与えていることを含む所定の条件が成立する場合に、前記第２のグループに属する少なくとも１つの無線端末のいずれかとＤ２Ｄ通信を行うよう構成されている。【００１１】
第２の態様では、無線端末装置は、少なくとも１つの無線トランシーバ、及び前記少なくとも１つの無線トランシーバに結合された少なくとも１つのプロセッサを含む。前記少なくとも１つのプロセッサは、前記少なくとも１つの無線トランシーバを用いてデバイス・ツー・デバイス（Ｄ２Ｄ）通信を行うことができる。前記少なくとも１つのプロセッサは、前記無線端末装置が属する第２のグループとは異なる第１のグループに属する第１の無線端末が前記第２のグループに前記第１のグループと前記第２のグループの間のＤ２Ｄ通信の暗示的又は明示的な許可を与えていることを含む所定の条件が成立する場合に、前記第１のグループに属し且つ前記第１の無線端末とは異なる第２の無線端末とＤ２Ｄ通信を行うよう構成されている。【００１２】
第３の態様では、無線端末装置は、少なくとも１つの無線トランシーバ、及び前記少なくとも１つの無線トランシーバに結合された少なくとも１つのプロセッサを含む。前記少なくとも１つのプロセッサは、前記少なくとも１つの無線トランシーバを用いてデバイス・ツー・デバイス（Ｄ２Ｄ）通信を行うことができる。前記少なくとも１つのプロセッサは、前記無線端末装置が属するのと同じ第１のグループに属するいずれの無線端末とも通信できない場合に、前記第１のグループとは異なる第２のグループに属する第１の無線端末とＤ２Ｄ通信を行うとともに、前記第２のグループに暗示的又は明示的な許可を与えるよう構成されている。前記暗示的又は明示的な許可は、前記無線端末装置とは異なり且つ前記第１のグループに属するいずれかの無線端末とのＤ２Ｄ通信を前記第２のグループに許可する。【００１３】
第４の態様では、無線端末装置により行われる方法は、前記無線端末装置が属するのと同じ第１のグループに属する第１の無線端末が前記第１のグループとは異なる第２のグループに前記第１のグループと前記第２のグループの間のＤ２Ｄ通信の暗示的又は明示的な許可を与えていることを含む所定の条件が成立する場合に、前記第２のグループに属する少なくとも１つの無線端末のいずれかとＤ２Ｄ通信を行うことを含む。【００１４】
第５の態様では、無線端末装置により行われる方法は、前記無線端末装置が属する第２のグループとは異なる第１のグループに属する第１の無線端末が前記第２のグループに前記第１のグループと前記第２のグループの間のＤ２Ｄ通信の暗示的又は明示的な許可を与えていることを含む所定の条件が成立する場合に、前記第１のグループに属し且つ前記第１の無線端末とは異なる第２の無線端末とＤ２Ｄ通信を行うことを含む。【００１５】
第６の態様では、無線端末装置により行われる方法は、前記無線端末装置が属するのと同じ第１のグループに属するいずれの無線端末とも通信できない場合に、前記第１のグループとは異なる第２のグループに属する第１の無線端末とＤ２Ｄ通信を行うとともに、前記第２のグループに暗示的又は明示的な許可を与えることを含む。前記暗示的又は明示的な許可は、前記無線端末装置とは異なり且つ前記第１のグループに属するいずれかの無線端末とのＤ２Ｄ通信を前記第２のグループに許可する。【００１６】
第７の態様では、プログラムは、コンピュータに読み込まれた場合に、上述の第４、第５、又は第６の態様に係る方法をコンピュータに行わせるための命令群（ソフトウェアコード）を含む。
【発明の効果】
【００１７】
上述の実施形態によれば、D2D通信グループ間で行われるD2D通信のセキュリティの向上に寄与する装置、方法、及びプログラムを提供できる。
【図面の簡単な説明】
【００１８】
【図１】いくつかの実施形態に係る無線ネットワークの構成例を示す図である。
【図２】第１の実施形態にかかるグループ間D2D通信手順の一例を示すシーケンス図である。
【図３】第１の実施形態にかかる無線端末の動作の一例を示すフローチャートである。
【図４】第１の実施形態にかかる無線端末の動作の一例を示すフローチャートである。
【図５】第１の実施形態にかかる無線端末の動作の一例を示すフローチャートである。
【図６】第２の実施形態にかかるグループ間D2D通信手順の一例を示すシーケンス図である。
【図７】第３の実施形態にかかるグループ間D2D通信手順の一例を示すシーケンス図である。
【図８】第４の実施形態にかかるグループ間D2D通信手順の一例を示すシーケンス図である。
【図９】いくつかの実施形態に係る無線端末の構成例を示すブロック図である。
【発明を実施するための形態】
【００１９】
以下では、具体的な実施形態について、図面を参照しながら詳細に説明する。各図面において、同一又は対応する要素には同一の符号が付されており、説明の明確化のため、必要に応じて重複説明は省略される。
【００２０】
＜第１の実施形態＞
図１は、本実施形態に係るネットワークの構成例を示している。無線端末１１０〜１１３は、同じD2D通信グループ（グループ１）に属し、当該グループ１内においてD2D通信を行うよう構成されている。無線端末１２１〜１２４は、同じD2D通信グループ（グループ２）に属し、当該グループ２内においてD2D通信を行うよう構成されている。無線端末１１０〜１１３のうち少なくとも１つは、無線インフラストラクチャネットワーク１６０と通信するよう構成されてもよい。同様に、無線端末１２１〜１２４はのうち少なくとも１つは、無線インフラストラクチャネットワーク１６０と通信するよう構成されてもよい。
【００２１】
無線インフラストラクチャネットワーク１６０は、無線端末間のD2D通信に比べて継続的な通信を提供する。無線インフラストラクチャネットワーク１６０は、Universal Mobile Telecommunications System（UMTS）、Long Term Evolution（LTE）、CDMA2000（1xRTT、High Rate Packet Data（HRPD））システム、Global System for Mobile communications（GSM（登録商標））/General packet radio service（GPRS）システム、WiMAX（IEEE 802.16-2004）、又はモバイルWiMAX（IEEE 802.16e-2005）といった公衆セルラーネットワークを含んでもよい。さらに又はこれに代えて、無線インフラストラクチャネットワーク１６０は、インフラストラクチャー・モードのWireless Local Area Network（WLAN）（IEEE 802.11）、例えば公衆WLAN、を含んでもよい。
【００２２】
続いて以下では、本実施形態におけるグループ間D2D通信について説明する。グループ１に属する無線端末１１０〜１１３並びにグループ２に属する無線端末１２１〜１２４は、グループ間D2D通信１４１及び１４２を行うよう構成されている。
【００２３】
図１の例では、無線端末１１１〜１１３は、同一D2D通信グループ（グループ１）に属し、且つ互いに地理的に近接して端末クラスタ１０１を形成しているため、一対一（one-to-one）又は一対他（one-to-many）のグループ内D2D通信を行うことができる。同様に、無線端末１２１〜１２４は、同一D2D通信グループ（グループ１）に属し、且つ互いに地理的に近接して端末クラスタ１０２を形成しているため、一対一（one-to-one）又は一対他（one-to-many）のグループ内D2D通信を行うことができる。これに対して、グループ１に属する無線端末１１０は、その地理的に近接範囲にグループ１に属する他の無線端末１１１〜１１２が存在せず、したがって、グループ内D2D通信を行うことができない。
【００２４】
無線端末１１０は、自身と同じD2D通信グループ（グループ１）に属するいずれの無線端末とも通信できない場合に、他のD2D通信グループ（グループ２）に属するいずれかの無線端末（e.g., 無線端末１２１）とグループ間D2D通信１４１を行う。さらに、無線端末１１０は、グループ２に対して暗示的又は明示的な許可を与える。暗示的又は明示的な許可は、無線端末１１０と同じグループ１に属するいずれかの無線端末とのD2D通信をグループ２に許可する。
【００２５】
いくつかの実装において、暗示的又は明示的な許可は、無線端末１１０がグループ２内のいずれかの無線端末（e.g., 無線端末１２１）にD2D通信を要求することによりグループ２に与えられてもよい。
【００２６】
さらに又はこれに代えて、当該許可は、無線端末１１０がグループ２内のいずれかの無線端末（e.g., 無線端末１２１）とD2D通信を行ったことによりグループ２に与えられてもよい。
【００２７】
さらに又はこれに代えて、当該許可は、グループ１とグループ２の間のD2D通信に必要な通信設定を無線端末１１０がグループ２内のいずれかの無線端末（e.g., 無線端末１２１）に通知することによりグループ２に与えられてもよい。当該通信設定は、グループ１に関する識別子若しくは無線リソース情報又はこれら両方を含む。グループ１に関する識別子は、ProSe Layer-2 Group IDのようなD2D通信グループを識別するためのグループ識別子であってもよい。
【００２８】
さらに又はこれに代えて、当該許可は、無線端末１１０がグループ１宛てのデータパケットの送信をグループ２に属するいずれかの無線端末（e.g., 無線端末１２１）に依頼することによりグループ２に与えられてもよい。
【００２９】
さらに又はこれに代えて、当該許可は、無線端末１１０がグループ２内のいずれかの無線端末（e.g., 無線端末１２１）に明示的な許可情報を送信することによりグループ２に与えられてもよい。
【００３０】
グループ２に属する無線端末１２１〜１２４は、他のD2D通信グループ（グループ１）無線端末１１０がグループ２に対して暗示的又は明示的な許可を与えていることを含む所定の条件が成立する場合に、グループ１に属し且つ無線端末１１０とは異なる無線端末（e.g., 無線端末１１３）とグループ間D2D通信１４２を行うよう構成されている。なお、図１から理解されるように、グループ１内の他の無線端末（e.g., 無線端末１１３）とグループ間D2D通信１４２を行うグループ２内の無線端末１２３は、無線端末１１０とグループ間D2D通信１４１を行って無線端末１１０から暗示的又は明示的な許可を受信する無線端末１２１と異なってもよい。
【００３１】
グループ１に属するクラスタ１０１内の無線端末１１１〜１１３は、これらが属するのと同じD2D通信グループに属する無線端末１１０が他のD2D通信グループ（グループ２）に暗示的又は明示的な許可を与えていることを含む所定の条件が成立する場合に、当該他のD2D通信グループに属する少なくとも１つの無線端末（e.g., 無線端末１２１〜１２４）のいずれかとグループ間D2D通信を行うよう構成されている。無線端末１１１〜１１３の各々は、直接的にも又はグループ１に属する他の無線端末を介しても無線端末１１０と通信できないことを認識してもよい。この場合、グループ間D2D通信を開始するか否かを決定するための上述の所定の条件は、直接的にも又はグループ１に属する他の無線端末を介しても無線端末１１０と通信できないことを含んでもよい。これにより、クラスタ１０１内の無線端末１１１〜１１３は、グループ間D2D通信の利用が無線端末１１０と通信するために必要な場合に、グループ間D2D通信を行うことができる。
【００３２】
図２は、本実施形態に係るグループ間D2D通信手順の一例（処理２００）を示すシーケンス図である。ブロック２０１では、無線端末（UE）１１０は、自身と同じグループ１に属する無線端末１１１〜１１３（端末クラスタ１０１）と通信できないことを判定する。ブロック２０１では、無線端末１１０は、自身とは異なるD2D通信グループ（グループ２）に属する無線端末１２１〜１２４（端末クラスタ１０２）のいずれかを検出し、当該グループ２の無線端末とグループ間D2D通信を行う。ブロック２０３では、無線端末１１０は、グループ２の１又は複数の無線端末（端末クラスタ１０２）に対して暗示的又は明示的な許可を与える。ブロック２０４では、無線端末１１０による暗示的又は明示的な許可に従って、グループ１（端末クラス１０１）及びグループ２（端末クラスタ１０２）の間でグループ間D2D通信が行われる。
【００３３】
図３は、無線端末１１０の動作の一例（処理３００）を示すフローチャートである。ブロック３０１では、無線端末１１０は、自身と同じD2D通信グループ（グループ１）に属するいずれの無線端末とも通信できないことを検出する。例えば、無線端末１１０は、グループ１のための検出信号（detection signal）を所定回数だけ送信したが何ら応答が得られない場合に、グループ１に属するいずれの無線端末とも通信できないことを検出してもよい。
【００３４】
ブロック３０２では、無線端末１１０は、他のD2D通信グループ（グループ２）に属する無線端末（e.g., 無線端末１２１）を検出する。ブロック３０３では、無線端末１１０は、検出されたグループ２の無線端末（e.g., 無線端末１２１）とのグループ間D2D通信を開始する。ブロック３０４では、無線端末１１０は、グループ１とのD2D通信の暗示的又は明示的な許可をグループ２に与える。
【００３５】
図４は、端末クラスタ１０２に含まれるグループ２の無線端末１２１〜１２４の動作の一例（処理４００）を示すフローチャートである。ブロック４０１では、グループ２の無線端末（e.g., 無線端末１２１）は、他のD2D通信グループ（グループ１）に属する無線端末１１０とのグループ間D2D通信を開始する。ブロック４０２では、グループ２の無線端末（e.g., 無線端末１２１）は、グループ１とのD2D通信の暗示的又は明示的な許可を無線端末１１０から受け取る。ブロック４０３では、グループ２の無線端末（e.g., 無線端末１２３）は、グループ１に属し且つ無線端末１１０とは異なる他の無線端末（e.g., 無線端末１１３）を検出する。ブロック４０４では、グループ２の無線端末（e.g., 無線端末１２３）は、無線端末１１０による暗示的又は明示的なグループ間D2D通信の許可に基づいて、検出されたグループ１の無線端末（e.g., 無線端末１１３）とのグループ間D2D通信を開始する。
【００３６】
ブロック４０４において、グループ２の無線端末（e.g., 無線端末１２３）は、グループ１とのグループ間D2D通信の許可を得ていることを確認してもよい。なお、既に述べたように、暗示的な許可は、例えば、グループ２の無線端末（e.g., 無線端末１２３）がグループ１とのグループ間D2D通信のための通信設定を有していることであってもよいし、グループ２の無線端末（e.g., 無線端末１２３）がグループ１に属する無線端末を宛て先とするデータパケットを保持していることであってもよい。これらの場合、グループ２の無線端末（e.g., 無線端末１２３）は、グループ間D2D通信の許可の有無の明示的な確認を行わなくてもよい。
【００３７】
図５は、端末クラスタ１０１に含まれるグループ１の無線端末１１１〜１１３の動作の一例（処理５００）を示すフローチャートである。ブロック５０１では、端末クラスタ１０１内のいずれかの無線端末（e.g., 無線端末１１３）は、グループ２に属する無線端末（e.g., 無線端末１２３）を検出する。既に説明したように、グループ２は、グループ１とのD2D通信の暗示的又は明示的な許可を無線端末１１０から既に得ている。ブロック５０２では、無線端末１１０による暗示的又は明示的なグループ間D2D通信の許可に基づいて、検出されたグループ２の無線端末（e.g., 無線端末１２３）とのグループ間D2D通信を開始する。
【００３８】
ブロック５０１において、グループ１の無線端末（e.g., 無線端末１１３）は、グループ２がグループ間D2D通信の許可を得ていることを確認してもよい。なお、既に述べたように、暗示的な許可は、例えば、グループ２の無線端末（e.g., 無線端末１２３）がグループ１とのグループ間D2D通信のための通信設定を有していることであってもよいし、グループ２の無線端末（e.g., 無線端末１２３）がグループ１に属する無線端末を宛て先とするデータパケットを保持していることであってもよい。これらの場合、グループ１の無線端末（e.g., 無線端末１１３）は、グループ２に属する無線端末（e.g., 無線端末１２３）がグループ間D2D通信の許可を有していることの明示的な確認を行わなくてもよい。
【００３９】
以上の説明から理解されるように、本実施形態では、グループ１に属する無線端末１１０は、グループ１に属する他の無線端末（e.g., 無線端末１１１〜１１３）とD2D通信を行えない場合に、検出された他のD2D通信グループ（グループ２）に属する無線端末（e.g., 無線端末１２１）と通信するとともに、グループ１とのグループ間D2D通信の許可をグループ２に対して与える。そして、当該許可に基づいて、グループ１に属する端末クラスタ１０１内のいずれかの無線端末（e.g., 無線端末１１３）は、グループ２に属する端末クラスタ１０２内のいずれかの無線端末（e.g., 無線端末１２３）とグループ間D2D通信を行う。
【００４０】
すなわち、本実施形態では、グループ１に属する無線端末１１０がグループ２に対して暗示的又は明示的な許可を与えていることを含む所定の条件が成立する場合に、グループ１に属する他の無線端末（e.g., 無線端末１１３）とグループ２に属する無線端末（e.g., 無線端末１２３）とのグループ間通信が行われる。したがって、無線端末１１０がグループ１から孤立しており、且つ無線端末１１０がグループ２に暗示的又は明示的な許可を与えた場合（支援を求めた場合）に、限定的にグループ間D2D通信を受け入れるよう動作できる。したがって、グループ間D2D通信を常に行うような動作に比べて、セキュリティの低下を抑制できる。
【００４１】
なお、いくつかの実装において、グループ１に属する無線端末１１０〜１１３は、グループ１に個別に設定された個別無線リソースを用いてグループ１内でのD2D通信を行い、グループ１及び２を含む複数のグループに共通に設定された共通無線リソースを用いてグループ間でのD2D通信を行うよう構成されてもよい。同様に、グループ２に属する無線端末１２１〜１２４は、グループ２に個別に設定された個別無線リソースを用いてグループ２内でのD2D通信を行い、グループ１及び２を含む複数のグループに共通に設定された共通無線リソースを用いてグループ間でのD2D通信を行うよう構成されてもよい。これにより、グループ内D2D通信とグループ間D2D通信の干渉を抑制できる。
【００４２】
いくつかの実装において、グループ１に属する無線端末１１０〜１１３は、グループ間D2D通信における通信品質又は通信内容をグループ１内D2D通信に比べて制限するよう構成されてもよい。同様に、グループ２に属する無線端末１２１〜１２４は、グループ間D2D通信における通信品質又は通信内容をグループ２内D2D通信に比べて制限するよう構成されてもよい。例えば、通信レート（スループット）、データの秘匿レベル、アクセス可能レベル、若しくは使用可能なアプリケーション、又はこれらの任意の組み合せがグループ間D2D通信において制限されてもよい。
【００４３】
なお、本実施形態において、D2D通信グループ内及びD2D通信グループ間でのデータ転送に使用される上位レイヤ・プロトコル（e.g., ルーティングプロトコル）は、特に限定されない。すなわち、無線マルチホップ・ネットワークに関して知られている様々なプロトコルが利用されてもよい。無線マルチホップ・ネットワークは、mobile ad-hoc network（MANET）及びdisruption tolerant network（DTN）を含む。Disruption tolerant networkは、delay tolerant network又はdisconnect tolerant networkと呼ばれることもある。
【００４４】
＜第２の実施形態＞
本実施形態では、第１の実施形態で説明されたグループ間D2D通信手順のさらに具体的な例、特にグループ間D2D通信のための通信設定を実施する方法について説明される。本実施形態に係る無線ネットワークの構成例は図１と同様である。本実施形態では、グループ１に属する無線端末１１０〜１１３並びにグループ２に属する無線端末１２１〜１２４は、グループ間D2D通信に関する通信設定を無線インフラストラクチャネットワーク１６０から受信するよう構成されている。
【００４５】
図６は、本実施形態に係るグループ間D2D通信手順の一例（処理６００）を示すシーケンス図である。ブロック６０１は、図２のブロック２０１と同様であり、無線端末（UE）１１０は、自身と同じグループ１に属する無線端末１１１〜１１３（端末クラスタ１０１）と通信できないことを判定する。ブロック６０２では、無線端末１１０は、グループ間D2D通信要求を無線インフラストラクチャネットワーク１６０内のエンティティに送信する。いくつかの実装において、無線端末１１０は、eNodeBのような基地局又はProSe functionのようなD2D通信の制御エンティティに、グループ間D2D通信要求を送信してもよい。
【００４６】
無線インフラストラクチャネットワーク１６０のエンティティは、無線端末１１０からのグループ間D2D通信要求の受信に応答して、無線端末１１０がグループ間D2D通信を行うべき相手グループ（e.g., グループ２）を選択してもよい。当該選択は、無線端末１１０とグループ２に属するいずれかの無線端末の間の距離に基づいて行われてもよい。例えば、無線インフラストラクチャネットワーク１６０のエンティティは、無線端末１１０からD2D通信可能な地理的範囲に位置している無線端末を検出し、この無線端末が属するD2D通信グループを選択してもよい。
【００４７】
さらに又はこれに代えて、当該相手グループ（e.g., グループ２）の選択は、無線端末１１０によりD2D通信において使用されるアプリケーションの種別に基づいて行われてもよい。例えば、無線インフラストラクチャネットワーク１６０のエンティティは、無線端末１１０が属するグループ１内のD2D通信において使用されるアプリケーションの使用をサポートする他のD2D通信グループを選択してもよい。
【００４８】
さらに又はこれに代えて、当該相手グループ（e.g., グループ２）の選択は、無線端末１１０の属性又はこれが属するD2D通信グループ（i.e., グループ１）の属性に基づいて行われてもよい。例えば、無線インフラストラクチャネットワーク１６０のエンティティは、無線端末１１０（又はグループ１）の属性と同じ属性を持つD2D通信グループを選択してもよい。D2D通信の主要な用途の１つとしてpublic safety用途が想定されている。したがって、無線端末１１０（又はグループ１）の属性は、例えば、救助隊グループ、警察グループ等の所属組織を示してもよい。無線端末１１０（又はグループ１）の属性は、所属する国又は地域を示してもよい。
【００４９】
ブロック６０３では、無線インフラストラクチャネットワーク１６０内のエンティティは、グループ間D2D通信要求に対する応答を無線端末１１０に送信する。当該応答は、ネットワーク１６０内のエンティティにより選択されたグループ２とのグループ間通信のための通信設定を含む。当該通信設定は、グループ２のグループ識別子（e.g., ProSe Layer-2 Group ID）若しくは無線リソース情報又はこれら両方を含む。無線インフラストラクチャネットワーク１６０内のエンティティは、当該通信設定を決定又は取得するために、選択されたグループ２のいずれかの無線端末に通信設定（e.g., グループ識別子または無線リソース）を問い合わせてもよい。
【００５０】
図６のブロック６０４及び６０５での処理は、図２のブロック２０２及び２０３での処理と同様である。
【００５１】
ブロック６０６では、グループ２に属する端末クラスタ１０２内の無線端末（e.g., 無線端末１２３）は、グループ１とのグループ間D2D通信要求を無線インフラストラクチャネットワーク１６０内のエンティティに送信する。ブロック６０７では、グループ２に属する無線端末（e.g., 無線端末１２３）は、グループ間D2D通信要求に対する応答を無線インフラストラクチャネットワーク１６０内のエンティティから受信する。当該応答は、グループ１とのグループ間通信のための通信設定を含む。当該通信設定は、グループ１のグループ識別子（e.g., ProSe Layer-2 Group ID）若しくは無線リソース情報又はこれら両方を含む。
【００５２】
図６のブロック６０８での処理は、図２のブロック２０４での処理と同様である。
【００５３】
本実施形態によれば、無線端末は、グループ間D2D通信が必要なときに、当該D2D通信のための通信設定を取得するため、当該D2D通信が行われる環境及び条件に適した通信設定を利用することができる。
【００５４】
＜第３の実施形態＞
本実施形態では、第１の実施形態で説明されたグループ間D2D通信手順のさらに具体的な例、特にグループ間D2D通信のための通信設定を実施する方法について説明される。本実施形態に係る無線ネットワークの構成例は図１と同様である。本実施形態では、グループ１に属する無線端末１１０〜１１３は、グループ間D2D通信に関する通信設定をグループ２に属する無線端末１２１〜１２４のいずれかより受信するよう構成されている。
【００５５】
図７は、本実施形態に係るグループ間D2D通信手順の一例（処理７００）を示すシーケンス図である。ブロック７０１は、図２のブロック２０１と同様であり、無線端末（UE）１１０は、自身と同じグループ１に属する無線端末１１１〜１１３（端末クラスタ１０１）と通信できないことを判定する。
【００５６】
ブロック７０３では、無線端末１１０は、グループ２に属するクラスタ１０２内のいずれかの無線端末（e.g., 無線端末１２１）からグループ間通信のための通信設定を受信する。当該通信設定は、グループ２のグループ識別子（e.g., ProSe Layer-2 Group ID）若しくは無線リソース情報又はこれら両方を含む。いくつかの実装において、グループ２に属する無線端末（e.g., 無線端末１２１）は、当該通信設定を常に報知（ブロードキャスト）してもよい。これに代えて、グループ２に属する無線端末（e.g., 無線端末１２１）は、無線端末１１０からの検出信号（７０２）を受信したことに応答して、当該通信設定を報知（ブロードキャスト）してもよい。検出信号（７０２）は、グループ１に関する情報（e.g., グループ１の識別子）を含んでもよい。
【００５７】
図７のブロック７０４及び７０５での処理は、図２のブロック２０２及び２０３、又は図６のブロック６０２及び６０３での処理と同様である。
【００５８】
ブロック７０７では、グループ１に属するクラスタ１０１内の無線端末（e.g., 無線端末１１３）は、グループ２に属するクラスタ１０２内のいずれかの無線端末（e.g., 無線端末１２３）からグループ間通信のための通信設定を受信する。当該通信設定は、グループ２のグループ識別子（e.g., ProSe Layer-2 Group ID）若しくは無線リソース情報又はこれら両方を含む。いくつかの実装において、グループ２に属する無線端末（e.g., 無線端末１２３）は、当該通信設定を常に報知（ブロードキャスト）してもよい。これに代えて、グループ２に属する無線端末（e.g., 無線端末１２３）は、クラスタ１０１内の無線端末（e.g., 無線端末１１３）からの捜索信号（search signal）（７０６）を受信したことに応答して、当該通信設定を報知（ブロードキャスト）してもよい。捜索信号（７０６）は、無線端末１１０の識別子を含んでもよい。
【００５９】
図７のブロック７０８での処理は、図２のブロック２０４又は図６のブロック６０８での処理と同様である。
【００６０】
本実施形態によれば、無線端末は、グループ間D2D通信が必要なときに、当該D2D通信のための通信設定を取得するため、当該D2D通信が行われる環境及び条件に適した通信設定を利用することができる。
【００６１】
＜第４の実施形態＞
本実施形態では、第１の実施形態で説明されたグループ間D2D通信手順のさらに具体的な例、特にグループ間D2D通信のための通信設定を実施する方法について説明される。本実施形態に係る無線ネットワークの構成例は図１と同様である。本実施形態では、グループ２に属する無線端末１２１〜１２４は、グループ間D2D通信に関する通信設定をグループ１に属する無線端末１１０〜１１３のいずれかより受信するよう構成されている。
【００６２】
図８は、本実施形態に係るグループ間D2D通信手順の一例（処理８００）を示すシーケンス図である。図８のブロック８０１〜８０５での処理は、図７のブロック７０１〜７０５での処理と同様である。
【００６３】
ブロック８０７では、グループ２に属するクラスタ１０２内の無線端末（e.g., 無線端末１２３）は、グループ１に属するクラスタ１０１内のいずれかの無線端末（e.g., 無線端末１２１）からグループ間通信のための通信設定を受信する。当該通信設定は、グループ１のグループ識別子（e.g., ProSe Layer-2 Group ID）若しくは無線リソース情報又はこれら両方を含む。いくつかの実装において、グループ１に属する無線端末（e.g., 無線端末１１３）は、当該通信設定を常に報知（ブロードキャスト）してもよい。これに代えて、グループ１に属する無線端末（e.g., 無線端末１１３）は、クラスタ１０２内の無線端末（e.g., 無線端末１２３）からのリソース要求（８０６）を受信したことに応答して、当該通信設定を報知（ブロードキャスト）してもよい。さらに又はこれに代えて、グループ１に属する無線端末（e.g., 無線端末１１３）は、グループ１に属する無線端末１１０とのD2D通信ができないことを検知したことに応答して、当該通信設定を報知（ブロードキャスト）してもよい。
【００６４】
図８のブロック８０８での処理は、図２のブロック２０４、図６のブロック６０８、又は図７のブロック７０８での処理と同様である。
【００６５】
本実施形態によれば、無線端末は、グループ間D2D通信が必要なときに、当該D2D通信のための通信設定を取得するため、当該D2D通信が行われる環境及び条件に適した通信設定を利用することができる。
【００６６】
＜第５の実施形態＞
第２〜第４の実施形態では、無線端末が無線インフラストラクチャネットワーク１６０又は他の無線端末から、グループ間D2D通信のための通信設定を取得する例を示した。これに代えて、グループ間D2D通信のための通信設定の少なくとも一部は、無線端末に事前設定（pre-configured）されてもよい。事前設定された通信設定は、無線端末に実装された内蔵メモリ又は無線端末がインタフェースを介して通信することができる取り外し可能なメモリ（e.g., Universal Integrated Circuit Card（UICC））に格納される。内蔵メモリ又は取り外し可能なメモリは、揮発性（volatile）メモリ若しくは不揮発性（nonvolatile）メモリ又はこれらの組合せである。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。
【００６７】
UICCは、GSMシステム、UMTS、及びLTEシステム等のセルラー通信システムにおいて使用されるスマートカードである。UICCは、プロセッサ及びメモリを有し、ネットワーク認証のためのSubscriber Identity Module（SIM）アプリケーション又はUniversal Subscriber Identity Module （USIM）アプリケーションを実行する。UICCは厳密にはUIM、SIM、及びUSIMとは異なる。しかしながら、これらの用語はよく混在して用いられる。したがって、本明細書では主にUICCの用語を用いるが、本明細書中でのUICCの用語は、UIM、SIM、又はUSIM等を意味する場合もある。
【００６８】
最後に上述の実施形態に係る無線端末１１０〜１１３並びに１２１〜１２４の構成例について説明する。図９は、無線端末１１０の構成例を示すブロック図である。その他の無線端末１１１〜１１３並びに１２１〜１２４も図９と同様の構成を有してもよい。Radio Frequency（RF）トランシーバ９０１は、無線インフラストラクチャネットワーク１６０内の基地局又はアクセスポイントと通信するためにアナログRF信号処理を行う。RFトランシーバ９０１は、さらに、D2D通信のために使用される。RFトランシーバ９０１は、無線インフラストラクチャネットワーク１６０との通信に使用される第１のトランシーバと、D2D通信に使用される第２のトランシーバを含んでもよい。RFトランシーバ９０１により行われるアナログRF信号処理は、周波数アップコンバージョン、周波数ダウンコンバージョン、及び増幅を含む。RFトランシーバ９０１は、アンテナ９０２及びベースバンドプロセッサ９０３と結合される。すなわち、RFトランシーバ９０１は、変調シンボルデータ（又はOFDMシンボルデータ）をベースバンドプロセッサ９０３から受信し、送信RF信号を生成し、送信RF信号をアンテナ９０２に供給する。また、RFトランシーバ９０１は、アンテナ９０２によって受信された受信ＲＦ信号に基づいてベースバンド受信信号を生成し、これをベースバンドプロセッサ９０３に供給する。
【００６９】
ベースバンドプロセッサ９０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００７０】
ベースバンドプロセッサ９０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ９０４と共通化されてもよい。
【００７１】
アプリケーションプロセッサ９０４は、CPU、MPU、マイクロプロセッサ、又はプロセッサコアとも呼ばれる。アプリケーションプロセッサ９０４は、複数のプロセッサ（複数のプロセッサコア）を含んでもよい。アプリケーションプロセッサ９０４は、メモリ９０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、無線端末１１０の各種機能を実現する。
【００７２】
いくつかの実装において、図９に破線（９０５）で示されているように、ベースバンドプロセッサ９０３及びアプリケーションプロセッサ９０４は、１つのチップ上に集積されてもよい。言い換えると、ベースバンドプロセッサ９０３及びアプリケーションプロセッサ９０４は、１つのSystem on Chip（SoC）デバイス９０５として実装されてもよい。SoCデバイスは、システムLarge Scale Integration（LSI）またはチップセットと呼ばれることもある。
【００７３】
メモリ９０６は、揮発性（volatile）メモリ若しくは不揮発性（nonvolatile）メモリ又はこれらの組合せである。メモリ９０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ９０６は、ベースバンドプロセッサ９０３、アプリケーションプロセッサ９０４、及びSoC９０５からアクセス可能な外部メモリデバイスを含んでもよい。メモリ９０６は、ベースバンドプロセッサ９０３内、アプリケーションプロセッサ９０４内、又はSoC９０５内に集積された内蔵メモリデバイスを含んでもよい。さらに、メモリ９０６は、Universal Integrated Circuit Card（UICC）内のメモリを含んでもよい。
【００７４】
メモリ９０６は、上述の複数の実施形態で説明された無線端末１１０による処理を行うための命令群およびデータを含むソフトウェアモジュール（コンピュータプログラム）を格納してもよい。いくつかの実装において、ベースバンドプロセッサ９０３又はアプリケーションプロセッサ９０４は、当該ソフトウェアモジュールをメモリ９０６から読み出して実行することで、上述の実施形態で説明された無線端末１１０の処理を行うよう構成されてもよい。
【００７５】
図９を用いて説明したように、上述の実施形態に係る無線端末１１０〜１１３並びに１２１〜１２４が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７６】
＜その他の実施形態＞
上述した複数の実施形態は、各々独立に実施されてもよいし、適宜組み合わせて実施されてもよい。
【００７７】
上述した実施形態１、３及び４は、無線端末１１０〜１１３並びに１２１〜１２４のいずれも無線インフラストラクチャネットワーク１６０と通信できない場合にも適用可能である。
【００７８】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００７９】
この出願は、２０１５年３月３０日に出願された日本出願特願２０１５−０６９０２８を基礎とする優先権を主張し、その開示の全てをここに取り込む。
【符号の説明】
【００８０】
１０１、１０２  端末クラスタ
１１０〜１１３、１２１〜１２４  無線端末
１４１、１４２  グループ間D2D通信
１６０  無線インフラストラクチャネットワーク
【図１】
2016157266.tif 000003
【図２】
2016157266.tif 000004
【図３】
2016157266.tif 000005
【図４】
2016157266.tif 000006
【図５】
2016157266.tif 000007
【図６】
2016157266.tif 000008
【図７】
2016157266.tif 000009
【図８】
2016157266.tif 000010
【図９】
2016157266.tif 000011
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
無線端末装置であって、
少なくとも１つの無線トランシーバと、
前記少なくとも１つの無線トランシーバに結合された少なくとも１つのプロセッサと、
を備え、
前記少なくとも１つのプロセッサは、前記少なくとも１つの無線トランシーバを用いてデバイス・ツー・デバイス（Ｄ２Ｄ）通信を行うことができ、
前記少なくとも１つのプロセッサは、前記無線端末装置が属するのと同じ第１のグループに属する第１の無線端末が前記第１のグループとは異なる第２のグループに前記第１のグループと前記第２のグループの間のＤ２Ｄ通信の暗示的又は明示的な許可を与えていることを含む所定の条件が成立する場合に、前記第２のグループに属する少なくとも１つの無線端末のいずれかとＤ２Ｄ通信を行うよう構成されている、
無線端末装置。
【請求項２】
前記暗示的又は明示的な許可は、
前記第１の無線端末が前記第２のグループに属するいずれかの無線端末にＤ２Ｄ通信を要求すること、
前記第１の無線端末が前記第２のグループに属するいずれかの無線端末とＤ２Ｄ通信を行ったこと、
前記第１のグループと前記第２のグループの間のＤ２Ｄ通信に必要な通信設定を前記第１の無線端末が前記第２のグループに属するいずれかの無線端末に通知すること、
前記第１の無線端末が前記第１のグループ宛てのデータ送信を前記第２のグループに属するいずれかの無線端末に依頼すること、及び
前記第１の無線端末が前記第２のグループに属するいずれかの無線端末に明示的な許可情報を送信すること、
のうち少なくとも１つにより与えられる、
請求項１に記載の無線端末装置。
【請求項３】
前記通信設定は、前記第１のグループに関する識別子若しくは無線リソース情報又はこれら両方を含む、
請求項２に記載の無線端末装置。
【請求項４】
前記所定の条件は、さらに、前記無線端末装置が直接的にも又は前記第１のグループに属する他の無線端末を介しても前記第１の無線端末と通信できないことを含む、
請求項１〜３のいずれか１項に記載の無線端末装置。
【請求項５】
前記少なくとも１つのプロセッサは、前記第１の無線端末の捜索要求を報知するよう構成され、前記無線端末装置と前記第２のグループの間のＤ２Ｄ通信に関する通信設定を前記第２のグループに属するいずれかの無線端末から前記捜索要求に対する応答として受信するよう構成されている、
請求項１〜４のいずれか１項に記載の無線端末装置。
【請求項６】
前記少なくとも１つのプロセッサは、前記無線端末装置が直接的にも又は前記第１のグループに属する他の無線端末を介しても前記第１の無線端末と通信できない場合に、前記無線端末装置と前記第２のグループの間のＤ２Ｄ通信に関する通信設定を報知するよう構成されている、
請求項１〜４のいずれか１項に記載の無線端末装置。
【請求項７】
前記少なくとも１つのプロセッサは、前記無線端末装置と前記第２のグループの間のＤ２Ｄ通信における通信品質又は通信内容を前記第１のグループ内でのＤ２Ｄ通信に比べて制限するよう構成されている、
請求項１〜６のいずれか１項に記載の無線端末装置。
【請求項８】
無線端末装置であって、
少なくとも１つの無線トランシーバと、
前記少なくとも１つの無線トランシーバに結合された少なくとも１つのプロセッサと、
を備え、
前記少なくとも１つのプロセッサは、前記少なくとも１つの無線トランシーバを用いてデバイス・ツー・デバイス（Ｄ２Ｄ）通信を行うことができ、
前記少なくとも１つのプロセッサは、前記無線端末装置が属する第２のグループとは異なる第１のグループに属する第１の無線端末が前記第２のグループに前記第１のグループと前記第２のグループの間のＤ２Ｄ通信の暗示的又は明示的な許可を与えていることを含む所定の条件が成立する場合に、前記第１のグループに属し且つ前記第１の無線端末とは異なる第２の無線端末とＤ２Ｄ通信を行うよう構成されている、
無線端末装置。
【請求項９】
無線端末装置であって、
少なくとも１つの無線トランシーバと、
前記少なくとも１つの無線トランシーバに結合された少なくとも１つのプロセッサと、
を備え、
前記少なくとも１つのプロセッサは、前記少なくとも１つの無線トランシーバを用いてデバイス・ツー・デバイス（Ｄ２Ｄ）通信を行うことができ、
前記少なくとも１つのプロセッサは、前記無線端末装置が属するのと同じ第１のグループに属するいずれの無線端末とも通信できない場合に、前記第１のグループとは異なる第２のグループに属する第１の無線端末とＤ２Ｄ通信を行うとともに、前記第２のグループに暗示的又は明示的な許可を与えるよう構成され、
前記暗示的又は明示的な許可は、前記無線端末装置とは異なり且つ前記第１のグループに属するいずれかの無線端末とのＤ２Ｄ通信を前記第２のグループに許可する、
無線端末装置。
【請求項１０】
少なくとも１つの無線トランシーバを用いて無線端末とのデバイス・ツー・デバイス（Ｄ２Ｄ）通信を行うことができるよう構成された無線端末装置によって行われる方法であって、
前記無線端末装置が属するのと同じ第１のグループに属する第１の無線端末が前記第１のグループとは異なる第２のグループに前記第１のグループと前記第２のグループの間のＤ２Ｄ通信の暗示的又は明示的な許可を与えていることを含む所定の条件が成立する場合に、前記第２のグループに属する少なくとも１つの無線端末のいずれかとＤ２Ｄ通信を行うことを備える、
方法。
【国際調査報告】
2016157266.tif 000012
2016157266.tif 000013
2016157266.tif 000014
2016157266.tif 000015